(57)【要約】【課題】演奏者による押鍵操作によって振動体を振動させて発音する鍵盤楽器において、同一の鍵を繰り返し押鍵したときのノイズの発生を抑制した鍵盤楽器を提供する。【解決手段】１つの鍵１１に対して、鍵１１の鍵音高に対応した周波数で振動する２つの振動板１２ａ，１２ｂを設ける。振動板１２ａ，１２ｂは、共鳴体２８に片持ち梁状に組み付けられる。鍵１１の後方に、１回の押離鍵操作により９０度回転する回転式弾き部２７を設ける。回転式弾き部２７の外周に、それぞれ振動板１２ａ，１２ｂを弾くための弾き爪２７ａ２，２７ｄ２を設ける。弾き爪２７ａ２と弾き爪２７ｄ２とは周方向に９０度ずれている。弾き爪２７ａ２，２７ｄ２は、押鍵操作ごとに交互に振動板１２ａ，１２ｂを弾く。【選択図】図３
2011075755.tif 000002
【特許請求の範囲】
【請求項１】
押鍵操作される複数の鍵と、
前記複数の鍵にそれぞれ対応して設けられ、各鍵の音高に対応した周波数で振動して発音する振動体をそれぞれ有する複数の振動部と、
前記複数の鍵にそれぞれ対応して設けられ、各鍵の押鍵操作に連動して前記各振動部の振動体をそれぞれ励振する複数の励振部とを備えた鍵盤楽器において、
前記複数の振動部のうちの少なくとも一部の振動部に、同一の周波数でそれぞれ振動する複数の振動体を設け、かつ
前記少なくとも一部の振動部に対応した一部の励振部は、前記同一の周波数でそれぞれ振動する複数の振動体のうちで、前回の押鍵操作に連動して励振した振動体とは異なる振動体を励振するようにしたことを特徴とする鍵盤楽器。
【請求項２】
請求項１に記載の鍵盤楽器において、
前記振動体を片持ち振動板で構成し、
前記励振部は、前記片持ち振動板を弾く弾き部材を有し、かつ
前記少なくとも一部の振動部に対応した一部の励振部は、前記同一の周波数でそれぞれ振動する複数の片持ち振動板をそれぞれ弾く複数の弾き部材を有することを特徴とする鍵盤楽器。
【請求項３】
請求項２に記載の鍵盤楽器において、
前記各弾き部材は、回転可能に支持された本体及び前記本体に設けられて前記片持ち振動板を弾くための１つ又は複数の弾き爪からなり、
前記励振部は、前記鍵の押鍵操作時に前記弾き部材を所定方向へ所定角度回転させ、前記鍵の離鍵操作時に前記弾き部材を前記所定方向と同じ方向へ所定角度回転させるアームを有することを特徴とする鍵盤楽器。
【請求項４】
請求項３に記載の鍵盤楽器において、
前記少なくとも一部の振動部に対応した一部の励振部における複数の弾き部材は、共通の回転軸に連結されており、
前記少なくとも一部の振動部に対応した一部の励振部は、前記押鍵操作に連動して、前記複数の弾き部材に挟まれる位置にて前記共通の回転軸を回転駆動するようにしたことを特徴とする鍵盤楽器。
【請求項５】
前記少なくとも一部の振動部は、低音部の鍵に対応した振動部であることを特徴とする請求項１乃至４に記載の鍵盤楽器。
【発明の詳細な説明】
【技術分野】
【０００１】
本発明は、押鍵によって片持ち振動板を振動させて演奏する鍵盤楽器に関する。
【背景技術】
【０００２】
従来から、例えば下記特許文献１に示されているように、演奏者による鍵の押鍵操作により、振動体である片持ち振動板を弾いて発音する鍵盤楽器は知られている。この鍵盤楽器においては、鍵の鍵音高に対応した周波数で振動する片持ち振動板が各鍵ごとに１つずつ設けられている。
【先行技術文献】
【特許文献】
【０００３】
【特許文献１】特開２００４−２０６０２８号公報
【発明の概要】
【０００４】
上記従来の鍵盤楽器においては、同一の鍵が繰り返し押鍵されると、押鍵操作により弾かれた片持ち振動板の振動が十分に減衰しないうちに、再びその片持ち振動板が弾かれることがある。このとき、片持ち振動板を弾くための弾き部材が振動中の片持ち振動板に接触してノイズが発生するという問題があった。とくに、低音部においては、片持ち振動板の振動の減衰時間が長い。そのため、低音部の同一の鍵を繰り返し押鍵したとき、その繰返し速度が速いとノイズが発生し易かった。
【０００５】
本発明は上記問題に対処するためになされたもので、その目的は、演奏者による押鍵操作によって振動体を振動させて発音する鍵盤楽器において、同一の鍵を繰り返し押鍵したときのノイズの発生を抑制した鍵盤楽器を提供することにある。
【０００６】
上記目的を達成するために、本発明の特徴は、押鍵操作される複数の鍵（１１）と、複数の鍵にそれぞれ対応して設けられ、各鍵の音高に対応した周波数で振動して発音する振動体（１２ａ，１２ｂ，１２ｃ）をそれぞれ有する複数の振動部（１２）と、複数の鍵にそれぞれ対応して設けられ、各鍵の押鍵操作に連動して、各振動部の振動体をそれぞれ励振する複数の励振部（２１，２７，３０，３２，３６，４１）とを備えた鍵盤楽器において、複数の振動部のうちの少なくとも一部の振動部に、同一の周波数でそれぞれ振動する複数の振動体（１２ａ，１２ｂ，１２ｃ）を設け、かつ前記少なくとも一部の振動部に対応した一部の励振部（２１，２７，３６，４１）は、前記同一の周波数でそれぞれ振動する複数の振動体のうちで、前回の押鍵操作に連動して励振した振動体とは異なる振動体を励振するようにしたことにある。
【０００７】
上記のように構成した本発明の特徴によれば、複数の振動部のうちの少なくとも一部の振動部に、同一の周波数でそれぞれ振動する複数の振動体を設け、励振部は、前記同一の周波数でそれぞれ振動する複数の振動体のうちで、前回の押鍵操作に連動して励振した振動体とは異なる振動体を励振する。したがって、同一の周波数でそれぞれ振動する複数の振動体に関しては、同一の鍵が繰り返し押鍵されても、連続して励振されることがなくなる。その結果、振動体の振動による音の減衰時間の長いことに起因したノイズの発生が問題となる場合でも、振動が十分に減衰した後に、振動体が励振されるようすることができ、同一の鍵の繰り返し押鍵によるノイズの発生の問題を解消できる。
【０００８】
また、本発明の他の特徴は、振動体（１２ａ，１２ｂ，１２ｃ）を片持ち振動板で構成し、励振部（２１，２７，３０，３２，３６，４１）は、片持ち振動板を弾く弾き部材（２７ａ，２７ｄ，３２ｂ，４１ａ，４１ｃ，４１ｅ）を有し、かつ前記少なくとも一部の振動部に対応した一部の励振部（２１，２７，３６，４１）は、前記同一の周波数でそれぞれ振動する複数の片持ち振動板をそれぞれ弾く複数の弾き部材（２７ａ，２７ｄ，４１ａ，４１ｃ，４１ｅ）を有することにある。
【０００９】
弾き部材が片持ち振動板を弾くと、弾き部材も振動することがある。しかし、前記本発明の他の特徴によれば、前記少なくとも一部の振動部に対応した一部の励振部に関しては、前回の押鍵操作において片持ち振動板を弾いた弾き部材とは異なる弾き部材が、前回の押鍵操作において弾いた片持ち振動板とは異なる片持ち振動板を弾くことになる。すなわち、十分に振動が減衰した弾き部材で、十分に振動が減衰した片持ち振動板を弾くことができるので、上述したノイズの発生をより効果的に抑制することができる。
【００１０】
また、本発明の他の特徴は、各弾き部材（２７ａ，２７ｄ，３２ｂ，４１ａ，４１ｃ，４１ｅ）は、回転可能に支持された本体（２７ａ１，２７ｄ１，３２ｂ１，４１ａ１，４１ｃ１，４１ｅ１）及び本体に設けられて片持ち振動板を弾くための１つ又は複数の弾き爪（２７ａ２，２７ｄ２，３２ｂ２，４１ａ２，４１ｃ２，４１ｅ２）からなり、励振部（２１，２７，３０，３２，３６，４１）は、鍵の押鍵操作時に弾き部材を所定方向へ所定角度回転させ、鍵の離鍵操作時に弾き部材を前記所定方向と同じ方向へ所定角度回転させるアーム（２１，３０，３６）を有することにある。
【００１１】
前記本発明の他の特徴によれば、弾き部材は、鍵の押鍵操作時に所定方向へ所定角度回転し、鍵の離鍵操作時に前記所定方向と同じ方向へ所定角度回転する。したがって、弾き部材は、離鍵操作により、片持ち振動板を弾いた弾き爪を片持ち振動板から遠ざけるように回転するので、離鍵操作時に弾き爪が片持ち振動板に接触しない。これにより、離鍵操作時に片持ち振動板の振動を抑制して音を減衰させることが無く、ノイズを発生させることも無い。なお、この場合、弾き部材として、同一形状の部品（例えば、外周に突起状の爪を有する円板状の部品）を複数個用意しておき、これらの部品を、それぞれの弾き爪が周方向にずれるようにして軸に連結するとよい。これによれば、部品の種類を削減できる。
【００１２】
また、本発明の他の特徴は、前記少なくとも一部の振動部に対応した一部の励振部（２１，２７，３６，４１）における複数の弾き部材（２７ａ，２７ｄ，４１ａ，４１ｃ，４１ｅ）は、共通の回転軸（２７ｅ，４１ｆ）に連結されており、前記少なくとも一部の振動部に対応した一部の励振部は、押鍵操作に連動して、複数の弾き部材に挟まれる位置にて共通の回転軸を回転駆動するようにしたことにある。
【００１３】
弾き爪が片持ち振動板に当接して片持ち振動板を変形させているときには、回転軸に付与される回転力と、弾き爪に付与される力に起因して、回転軸が若干捩れて変形する。この捩れ変形量は、回転力の付与される回転軸の位置と弾き爪との距離が大きいほど大きくなる。しかし、前記本発明の他の特徴によれば、押鍵操作に連動して、回転軸は、複数の弾き部材に挟まれる位置にて回転駆動される。したがって、２つの弾き部材のうちの１つの弾き部材に対して他の弾き部材とは反対側位置にて回転軸を駆動する場合に比べて、回転軸の駆動位置と各弾き部材すなわち弾き爪との回転軸方向の距離の差を小さくすることができる。その結果、回転軸の捩れ変形による、押鍵操作ごとの発音時の押鍵深さ（離鍵状態からの鍵の変位）の差を小さくすることができる。
【００１４】
また、本発明の他の特徴は、前記少なくとも一部の振動部は、低音部の鍵に対応した振動部であることにある。
【００１５】
中音部及び高音部については、片持ち振動板の振動の減衰時間が低音部に比べて短いので、中音部及び高音部の鍵を繰り返し押鍵しても、ノイズが全く発生しないか、ノイズが発生したとしても小さく演奏上問題とならない。したがって、低音部についてのみ、各鍵ごとに複数の片持ち振動板を設け、中音部及び高音部については、上記従来の鍵盤楽器と同様に、各鍵ごとに１つの片持ち振動板を設けるようにすれば、演奏上問題となるノイズを抑制しつつ、鍵盤楽器を軽量化できるとともに、鍵盤楽器の製造コストを低減できる。
【００１６】
なお、前記括弧内の符号は、本発明の理解を容易にするために、後述する実施形態との対応関係を示すものであるが、本発明はこれに限定されるものではない。
【図面の簡単な説明】
【００１７】
【図１】本発明の第１及び第２実施形態に係る鍵盤楽器の外観を示す平面図である。
【図２Ａ】本発明の第１実施形態に係り、低音部の振動板及び共鳴体の構成を示す平面図である。
【図２Ｂ】本発明の第１及び第２実施形態に係り、中音部及び高音部の振動板及び共鳴体の構成を示す平面図である。
【図３】本発明の第１実施形態に係る鍵盤楽器を縦断して、低音部の１つの鍵について示す右側面である。
【図４】図３のアームの右側面図である。
【図５】図３のアームの平面図である。
【図６Ａ】図３の鍵盤楽器の後部を拡大して示す右側面図である。
【図６Ｂ】図３の鍵盤楽器の後部を拡大して示す平面図である。
【図７Ａ】図３の回転式弾き部の正面図である。
【図７Ｂ】図３の回転式弾き部の右側面図である。
【図７Ｃ】図３の回転式弾き部の左側面図である。
【図８Ａ】図３の回転式弾き部の第１及び第４円板の正面図である。
【図８Ｂ】図３の回転式弾き部の第１及び第４円板の右側面図である。
【図９】本発明の第１実施形態に係る鍵盤楽器を縦断して、中音部又は高音部の１つの鍵について示す右側面である。
【図１０】図９のアームの平面図である。
【図１１Ａ】図９の鍵盤楽器の後部を拡大して示す右側面図である。
【図１１Ｂ】図９の鍵盤楽器の後部を拡大して示す平面図である。
【図１２Ａ】図９の回転式弾き部の正面図である。
【図１２Ｂ】図９の回転式弾き部の右側面図である。
【図１２Ｃ】図９の回転式弾き部の左側面図である。
【図１３Ａ】図９の回転式弾き部の第２円板の正面図である。
【図１３Ｂ】図９の回転式弾き部の第２円板の右側面図である。
【図１４Ａ】本発明の第１実施形態に係る鍵盤楽器の離鍵状態における第１駆動部と第１被駆動爪の位置関係を示す右側面図である。
【図１４Ｂ】本発明の第１実施形態に係る鍵盤楽器の離鍵状態における第２駆動部と第２被駆動爪の位置関係を示す左側面図である。
【図１５Ａ】本発明の第１実施形態に係る鍵盤楽器の押鍵途中の第１駆動部と第１被駆動爪の位置関係を示す右側面図である。
【図１５Ｂ】本発明の第１実施形態に係る鍵盤楽器の押鍵途中の第２駆動部と第２被駆動爪の位置関係を示す左側面図である。
【図１６Ａ】本発明の第１実施形態に係る鍵盤楽器の押鍵終了時の第１駆動部と第１被駆動爪の位置関係を示す右側面図である。
【図１６Ｂ】本発明の第１実施形態に係る鍵盤楽器の押鍵終了時の第２駆動部と第２被駆動爪の位置関係を示す左側面図である。
【図１７Ａ】本発明の第１実施形態に係る鍵盤楽器の離鍵途中の第１駆動部と第１被駆動爪の位置関係を示す右側面図である。
【図１７Ｂ】本発明の第１実施形態に係る鍵盤楽器の離鍵途中の第２駆動部と第２被駆動爪の位置関係を示す左側面図である。
【図１８】本発明の第２実施形態に係り、低音部の振動板及び共鳴体の構成を示す平面図である。
【図１９】本発明の第２実施形態に係る鍵盤楽器を縦断して、低音部の１つの鍵について示す右側面である。
【図２０Ａ】図１９のアームの右側面図である。
【図２０Ｂ】図１９のアームの平面図である。
【図２１Ａ】図１９の鍵盤楽器の後部を拡大して示す右側面図である。
【図２１Ｂ】図１９の鍵盤楽器の後部を拡大して示す平面図である。
【図２２Ａ】図１９の回転式弾き部の正面図である。
【図２２Ｂ】図１９の回転式弾き部の右側面図である。
【図２２Ｃ】図１９の回転式弾き部の左側面図である。
【図２３Ａ】本発明の第２実施形態に係る鍵盤楽器の離鍵状態における第１駆動部と第１被駆動爪の位置関係を示す右側面図である。
【図２３Ｂ】本発明の第２実施形態に係る鍵盤楽器の離鍵状態における第２駆動部と第２被駆動爪の位置関係を示す左側面図である。
【図２４Ａ】本発明の第２実施形態に係る鍵盤楽器の押鍵途中の第１駆動部と第１被駆動爪の位置関係を示す右側面図である。
【図２４Ｂ】本発明の第２実施形態に係る鍵盤楽器の押鍵途中の第２駆動部と第２被駆動爪の位置関係を示す左側面図である。
【図２５Ａ】本発明の第２実施形態に係る鍵盤楽器の押鍵終了時の第１駆動部と第１被駆動爪の位置関係を示す右側面図である。
【図２５Ｂ】本発明の第２実施形態に係る鍵盤楽器の押鍵終了時の第２駆動部と第２被駆動爪の位置関係を示す左側面図である。
【図２６Ａ】本発明の第２実施形態に係る鍵盤楽器の離鍵途中の第１駆動部と第１被駆動爪の位置関係を示す右側面図である。
【図２６Ｂ】本発明の第２実施形態に係る鍵盤楽器の離鍵途中の第２駆動部と第２被駆動爪の位置関係を示す左側面図である。
【発明を実施するための形態】
【００１８】
ａ．第１実施形態
以下、本発明の第１実施形態についての全体概略を説明する。鍵盤楽器１０は、演奏者によって押離鍵操作される複数の鍵１１を有する。また、鍵盤楽器１０は、鍵１１ごとに、振動して発音する振動部１２を有するが、鍵域によって振動部１２の構成が異なる。すなわち、低音部（例えば、最低音を含む１オクターブ）については、図２Ａに示すように、振動部１２は、鍵音高に対応した同一の周波数で振動して同一音高の音をそれぞれ発する２枚の振動板１２ａ，１２ｂからなり、押鍵操作ごとに振動板１２ａ，１２ｂが交互に弾かれて発音する。一方、中音部及び高音部（すなわち、低音部以外の鍵域）については、図２Ｂに示すように、振動部１２は、鍵音高に対応した周波数で振動して音を発する１枚の振動板１２ａからなり、押鍵操作ごとに振動板１２ａが弾かれて発音する。これらの振動板１２ａ，１２ｂが、本発明の振動体を構成する。
【００１９】
次に、鍵盤楽器１０の低音部の構成について説明する。図３に示すように、低音部の鍵１１は合成樹脂によって長尺状に形成されている。そして、鍵１１は、フレームＦＲに設けられた鍵支持部１３により支持されており、中間部の回転中心１４を中心として、前端部が上下方向に揺動可能となっている。なお、フレームＦＲとは、この鍵盤楽器の種々の部品を支持するための構造体及びこの鍵盤楽器のハウジング自体を意味する。鍵１１の前部下方には、ばね１６が設けられている。ばね１６の下端はフレームＦＲに固定され、その上端は、鍵１１の前部下面に当接している。ばね１６は、鍵１１の前部を上方へ付勢する。また、鍵１１の前部下方には、ゴム、フェルトなどの衝撃吸収材によって構成された長尺状の下限ストッパ１７が横方向（鍵１１の並び方向）に延設されてフレームＦＲに固定されている。この下限ストッパ１７は、鍵１１の前部の下方への変位を規制する。また、鍵１１の後部下方には、下限ストッパ１７と同様の上限ストッパ１８が横方向に延設されてフレームＦＲに固定されている。この上限ストッパ１８は鍵１１の前部の上方への変位を規制する。
【００２０】
鍵１１の後部上面には、下部が円柱状に形成され、上部が半球状に形成された突起状のキャプスタン１９が組み付けられている。キャプスタン１９の上端には、アーム２１の前端部の下面が当接している。アーム２１は、図４及び図５に示すように、基部２２、第１駆動部２３及び第２駆動部２４から構成される。基部２２は、合成樹脂製で、下面の中間部から前方の部分が僅かに下方へ湾曲している。一方、基部２２の上面は、中間部から前方へ向かうに従って低くなる急傾斜の斜面を形成している。また、基部２２の後部の両側面から横方向へ円柱状の回転軸２２ａが延設されている。
【００２１】
第１駆動部２３及び第２駆動部２４は金属製で円弧状に屈曲した屈曲部を有するように成形された板状部材である。各屈曲部の先端面は平面になっている。第１駆動部２３は基部２２の後端部の高音部側（演奏者から見て右側）の面上に、その屈曲部が上方から下方に向かうように組み付けられる。第２駆動部２４は、基部２２の低音部側（演奏者から見て左側）の面上に、その屈曲部が下方から上方へ向かうように組み付けられる。第１駆動部２３及び第２駆動部２４は、それぞれ屈曲部が基部２２の後端から後方へ張出しており、横方向に若干ずれて位置している。
【００２２】
アーム２１は、図６Ａ及び図６Ｂに示すように、フレームＦＲに固定されたアーム支持部材２５に設けられた貫通孔２５ａに回転軸２２ａを回転可能に貫通させることにより、アーム支持部材２５に回転可能に支持されている。基部２２の下方には、ゴム、フェルトなどの衝撃吸収材によって構成された長尺状のアームストッパ２６が横方向に延設されて、フレームＦＲに固定されている。離鍵状態においては、アーム２１は、基部２２の自重により図６Ａにて反時計回りに回転し、アームストッパ２６に当接して静止している。アーム２１の後方には、回転式弾き部２７が、アーム支持部材２５に回転可能に支持されている。
【００２３】
回転式弾き部２７は、金属製で、図７Ａ乃至図７Ｃに示すように、第１乃至第４円板２７ａ，２７ｂ，２７ｃ，２７ｄ及び回転軸２７ｅを有する。第１乃至第４円板２７ａ，２７ｂ，２７ｃ，２７ｄは、高音部側から低音部側へ向かってこの順に等間隔に配置されるように、それぞれの内周端が回転軸２７ｅの外周面に固定されている。回転式弾き部２７は、アーム支持部材２５に設けられた貫通孔２５ｂに回転軸２７ｅを回転可能に貫通させることにより、アーム支持部材２５に回転可能に支持されている。なお、図７Ａは回転式弾き部２７の正面図である。また、図７Ｂは回転式弾き部２７の右側面図であり、図７Ｃは回転式弾き部２７の左側面図である。各円板の構成を明瞭に示すために、図７Ｂにおいては第３円板２７ｃを省略し、図７Ｃにおいては第２円板２７ｂを省略している。
【００２４】
第１円板２７ａは、図８Ａ及び図８Ｂに示すように、円板状の本体２７ａ１及び２つの弾き爪２７ａ２，２７ａ２から構成される。弾き爪２７ａ２，２７ａ２は、突起状であり、本体２７ａ１の外周に周方向に１８０度ずらして等間隔に設けられている。また、第４円板２７ｄの構成は、第１円板２７ａと同一である。すなわち、第４円板２７ｄは、円板状の本体２７ｄ１及び２つの弾き爪２７ｄ２，２７ｄ２から構成される。第１円板２７ａ及び第４円板２７ｄは、弾き爪２７ａ２，２７ｄ２の位置が周方向に９０度ずれた状態で回転軸２７ｅに固定されている。弾き爪２７ａ２，２７ｄ２は、回転式弾き部２７の回転により、それぞれ振動板１２ａ，１２ｂを弾く。弾き爪２７ａ２，２７ｄ２の振動板１２ａ，１２ｂと当接する面は円弧状の曲面となっている。これらの第１及び第４円板２７ａ，２７ｄは、本発明の弾き部材を構成する。
【００２５】
第２円板２７ｂは、円板状の本体２７ｂ１及び４つの第１被駆動爪２７ｂ２から構成される。第１被駆動爪２７ｂ２は本体２７ｂ１の外周に周方向に９０度ずつずらして等間隔に設けられている。第１被駆動爪２７ｂ２は、突起状で、アーム２１の第１駆動部２３の先端面と当接する平面部と、第１駆動部２３の屈曲部と当接する円弧状の曲面部とを有する。また、第３円板２７ｃも、第２円板２７ｂと同様に、円板状の本体２７ｃ１及び４つの第２被駆動爪２７ｃ２から構成される。第２被駆動爪２７ｃ２も、突起状で、アーム２１の第２駆動部２４の先端面と当接する平面部と、第２駆動部２４の屈曲部と当接する円弧状の曲面部とを有する。ただし、第２円板２７ｂ及び第３円板２７ｃは、各被駆動爪２７ｂ２，２７ｃ２の周方向の位置が４５度ずれた状態で回転軸２７ｅに固定されている。また、第１円板２７ａの弾き爪２７ａ２と第４円板２７ｄの弾き爪２７ｄ２とを合計した弾き爪２７ａ２，２７ｄ２の総数は、第２円板２７ｂの第１被駆動爪２７ｂ２の総数に等しいとともに、第３円板２７ｃの第２被駆動爪２７ｃ２の総数にも等しい。そして、第１円板２７ａ及び第４円板２７ｄと、第２円板２７ｂとは、弾き爪２７ａ２，２７ｄ２と第１被駆動爪２７ｂ２の周方向の位置が４５度ずれた状態で回転軸２７ｅに固定されている。第１円板２７ａ及び第４円板２７ｄと、第３円板２７ｃとは、弾き爪２７ａ２，２７ｄ２と第２被駆動爪２７ｃ２の周方向の位置が一致した状態で回転軸２７ｅに固定されている。このように構成したアーム２１及び回転式弾き部２７が、本発明の励振部を構成する。
【００２６】
回転式弾き部２７の後方には、２つの振動板１２ａ，１２ｂが設けられている。振動板１２ａ，１２ｂは金属などの板状弾性部材で長尺状に形成される。振動板１２ａ，１２ｂの一端は、図２Ａに示すように、鍵盤楽器１０の後部にて横方向に延設された平板状の共鳴体２８の上面に固定される。そして、その他端は共鳴体２８から前方へ張り出している。すなわち、振動板１２ａ，１２ｂは片持ち梁状に支持されており、横方向に等間隔に並設されている。振動板１２ａ，１２ｂの固有振動周波数は、鍵１１の音高に対応した周波数と同一である。したがって、振動板１２ａ，１２ｂの幅、厚み及び長さは同一である。共鳴体２８は支持部材２９を介してフレームＦＲに固定される。なお、この鍵盤楽器１０を構成するすべての振動板１２に対して１つの共鳴体２８を設けてもよいし、所定の音域（例えば１オクターブ）ごと又は鍵１１ごとに共鳴体２８を設けてもよい。
【００２７】
次に、中音部及び高音部の構成について説明する。この場合も、図９に示すように、鍵１１は上記低音部と同様に支持され、下限ストッパ１７及び上限ストッパ１８によって鍵１１の揺動範囲が規定されている。また、鍵１１の後部上面にはキャプスタン１９が組み付けられ、キャプスタン１９の上端には、アーム３０の前端部の下面が当接している。アーム３０は、アーム２１とほぼ同様の構成である。すなわち、アーム３０は、図１０に示すように、基部３１、第１駆動部２３及び第２駆動部２４からなり、基部３１は、基部２２の回転軸２２ａと同様の回転軸３１ａを有する。また、第１駆動部２３と第２駆動部２４の横方向の間隔がアーム２１に比べて大きくなるように、基部３１の前端部が基部２２よりも厚くなっている。そして、図１１Ａ及び図１１Ｂに示すように、アーム３０は、アーム支持部材２５に設けられた貫通孔２５ａに回転軸３１ａを回転可能に貫通させることにより、アーム支持部材２５に回転可能に支持されている。アーム３０の後方には、回転式弾き部３２が、アーム支持部材２５に回転可能に支持されている。
【００２８】
回転式弾き部３２は、金属製で、図１２Ａ乃至図１２Ｃに示すように、第１乃至第３円板３２ａ，３２ｂ，３２ｃ及び回転軸３２ｄを有する。第１乃至第３円板３２ａ，３２ｂ，３２ｃは、高音部側から低音部側へ向かってこの順に等間隔に配置されるように、それぞれの内周端が回転軸３２ｄに固定されている。回転式弾き部３２は、アーム支持部材２５に設けられた貫通孔２５ｂに回転軸３２ｄを回転可能に貫通させることにより、アーム支持部材２５に回転可能に支持されている。なお、図１２Ａは回転式弾き部３２の正面図である。また、図１２Ｂは回転式弾き部３２の右側面図であり、図１２Ｃは回転式弾き部３２の左側面図である。各円板の構成を明瞭に示すために、図１２Ｂにおいては第３円板３２ｃを省略し、図１２Ｃにおいては第１円板３２ａを省略している。
【００２９】
第１円板３２ａは、円板状の本体３２ａ１及び４つの第１被駆動爪３２ａ２から構成される。第１被駆動爪３２ａ２は本体３２ａ１の外周に周方向に９０度ずつずらして等間隔に設けられている。第１被駆動爪３２ａ２は、突起状で、アーム３０の第１駆動部２３の先端面と当接する平面部と、第１駆動部２３の屈曲部と当接する円弧状の曲面部とを有する。また、第３円板３２ｃも、第１円板３２ａと同様に、円板状の３２ｃ１及び４つの第２被駆動爪３２ｃ２から構成される。第２被駆動爪３２ｃ２も、突起状で、アーム３０の第２駆動部２４の先端面と当接する平面部と、第２駆動部２４の屈曲部と当接する円弧状の曲面部とを有する。ただし、第１円板３２ａ及び第３円板３２ｃは、各被駆動爪３２ａ２，３２ｃ２の位置が周方向に４５度ずれた状態で回転軸３２ｄに固定されている。
【００３０】
また、第２円板３２ｂは、図１３Ａ及び図１３Ｂに示すように、円板状の本体３２ｂ１及び４つの弾き爪３２ｂ２から構成される。弾き爪３２ｂ２は、本体３２ｂ１の外周に周方向に９０度ずつずらして等間隔に設けられている。弾き爪３２ｂ２は、突起状であり、回転式弾き部３２の回転により、振動板１２ａを弾く。弾き爪３２ｂ２の振動板１２ａと当接する面は円弧状の曲面となっている。この第２円板３２ｂが、本発明の弾き部材を構成する。なお、第２円板３２ｂの弾き爪３２ｂ２の総数は、第１円板３２ａの第１被駆動爪３２ａ２の総数に等しいとともに、第３円板３２ｃの第２被駆動爪３２ｃ２の総数にも等しい。そして、第１円板３２ａ及び第２円板３２ｂは、第１被駆動爪３２ａ２と弾き爪３２ｂ２の周方向の位置が４５度ずれた状態で回転軸３２ｄに固定されている。第２円板３２ｂ及び第３円板３２ｃは、弾き爪３２ｂ２と第２被駆動爪３２ｃ２の周方向の位置が一致した状態で回転軸３２ｄに固定されている。回転式弾き部３２の後方には、図２Ｂに示すように、振動板１２ａが低音部と同様に設けられている。
【００３１】
次に、上記のように構成した鍵盤楽器１０の低音部の鍵１１を押離鍵操作したときの動作について説明する。図１４Ａ乃至図１７Ａは、回転式弾き部２７の周辺を拡大して高音部側から見た図であり、図１４Ｂ乃至図１７Ｂは、回転式弾き部２７の周辺を拡大して、低音部側から見た図である。また、第１駆動部２３と第１被駆動爪２７ｂ２との位置関係、及び第２駆動部２４と第２被駆動爪２７ｃ２との位置関係を明瞭に示すため、図１４Ａ乃至図１７Ａにおいては、第３円板２７ｃを省略し、図１４Ｂ乃至図１７Ｂにおいては、第２円板２７ｂを省略している。
【００３２】
離鍵状態においては、ばね１６によって、鍵１１の前部が上方へ付勢されて、図３において時計回りに回転し、鍵１１の後部下面が上限ストッパ１８に当接して、図３の状態となっている。このとき、アーム２１の第１駆動部２３は、図１４Ａに示すように、回転式弾き部２７の第１被駆動爪２７ｂ２から離れている。一方、図１４Ｂに示すように、アーム２１の第２駆動部２４の先端面は、回転式弾き部２７の第２被駆動爪２７ｃ２の平面部に当接している。さらに、第２駆動部２４と第２被駆動爪２７ｃ２の円弧状の曲面同士が当接している。したがって、この状態では、回転式弾き部２７は第２駆動部２４によって固定された状態になり、回転不可能となっている。
【００３３】
一方、ばね１６の付勢力に対抗して鍵１１を押すと、鍵１１は回転中心１４を中心として、図３にて反時計回りに回転し始める。すると、鍵１１の後部が上方に変位し、キャプスタン１９に当接しているアーム２１の前部を上方へ変位させる。これにより、アーム２１は回転軸２２ａ回りに、図３にて時計回りに回転する。さらに深く押鍵されると、図１５Ａに示すように、第１駆動部２３の先端面が第１被駆動爪２７ｂ２の平面部に当接して、回転式弾き部２７を図１５Ａにて時計回りに回転させようとする。このとき、図１５Ｂに示すように第２被駆動爪２７ｃ２は、第２駆動部２４から解放されているので、回転式弾き部２７は回転可能となっている。したがって、回転式弾き部２７が回転し、弾き爪２７ａ２，２７ｄ２がそれぞれ振動板１２ａ，１２ｂに近づいていく。そして、弾き爪２７ａ２は振動板１２ａの自由端に当接して、振動板１２ａの自由端側を下方へ押し曲げる。このとき、弾き爪２７ｄ２は、弾き爪２７ａ２に対して周方向に９０度ずれているので、振動板１２ｂから離れている。
【００３４】
回転式弾き部２７がさらに回転すると、図１６Ａ及び図１６Ｂに示すように、弾き爪２７ａ２は振動板１２ａを乗り越える。すなわち、弾き爪２７ａ２が振動板１２ａを弾く。そして、振動板１２ａが振動し、その振動が共鳴体２８により増幅され、鍵音高に対応する楽器音が発音される。そして、鍵１１の前部下面が下限ストッパ１７に当接すると、鍵１１の揺動は停止し、回転式弾き部２７の回転も停止する。この状態では、図１６Ｂに示すように、アーム２１の第２駆動部２４は、回転式弾き部２７の第２被駆動爪２７ｃ２から離れている。一方、図１６Ａに示すように、アーム２１の第１駆動部２３及び回転式弾き部２７の第１被駆動爪２７ｂ２の円弧状の曲面同士が当接するので、回転式弾き部２７は回転不可能になっている。
【００３５】
離鍵時には、ばね１６の付勢力によって鍵１１の前部が上方へ押し上げられる。これにより、鍵１１は回転中心１４を中心として、図３において時計回りに回転し始める。鍵１１の後端部は下方へ変位し、アーム２１は自重により回転軸２２ａ回りに、図３にて反時計回りに回転する。すると、図１７Ｂに示すように、第２駆動部２４の先端面が第２被駆動爪２７ｃ２の平面部に当接して、回転式弾き部２７を押鍵時と同じ方向（図１７Ａにて時計回り、すなわち図１７Ｂにおいて反時計回り）へ回転させようとする。このとき、図１７Ａに示すように、第１被駆動爪２７ｂ２は第１駆動部２３から解放されているので、回転式弾き部２７は回転可能となっている。したがって、回転式弾き部２７の回転により、押鍵によって振動板１２ａを弾いた弾き爪２７ａ２が、振動板１２ａから遠ざかる。鍵１１の後部下面が上限ストッパ１８に当接すると、鍵１１の前部の上方への変位が規制され、鍵１１は元の位置（図３）へ復帰する。
【００３６】
回転式弾き部２７は、上記１回の押離鍵操作において、９０度回転している。そして、次の押離鍵操作（２回目の押離鍵操作）においても、上記と同様に、第１駆動部２３及び第２駆動部２４がそれぞれ第１被駆動爪２７ｂ２及び第２被駆動爪２７ｃ２に係合して、回転式弾き部２７が９０度回転する。ただし、この２回目の押離鍵操作においては、弾き爪２７ａ２は振動板１２ａを弾かず、弾き爪２７ｄ２が振動板１２ｂを弾いて発音する。そして、２回目の離鍵操作の後、回転式弾き部材２７が元の状態（図３）に復帰する。
【００３７】
次に、上記のように構成した鍵盤楽器１０の中音部及び高音部の鍵１１を押離鍵操作したときの動作について説明する。この動作は、上記低音部の動作とほぼ同様である。図９の状態から、鍵１１を押鍵すると、第１駆動部２３が、第１被駆動爪３２ａ２に係合して回転式弾き部３２を図９において時計回りに回転させ、弾き爪３２ｂ２が振動板１２を弾く。そして、鍵１１を離鍵すると、第２駆動部２４が第２被駆動爪３２ｃ２に係合して、回転式弾き部３２をさらに回転させた後、回転式弾き部３２が元の状態（図９）に復帰する。すなわち、１回の押離鍵操作により、回転式弾き部３２が９０度回転する。弾き爪３２ｂ２は、第２円板３２ｂの周方向に９０度ずつずれて設けられているので、振動板１２ａは押鍵操作ごとに弾かれる。
【００３８】
上記のように構成した鍵盤楽器１０においては、低音部の振動板１２ａ，１２ｂが押鍵操作ごとに交互に弾かれる。そのため、同一の鍵１１を繰り返し押離鍵しても、振動板１２ａ（又は振動板１２ｂ）が弾かれてから、再びその振動板１２ａ（又は振動板１２ｂ）が弾かれるまでに振動が減衰する。さらに、振動板１２ａ，１２ｂにそれぞれ対応させて弾き爪２７ａ２，２７ｄ２を設けた。そのため、振動板１２ａ，１２ｂを弾いたときに弾き爪２７ａ２，２７ｄ２に発生する振動も、再び振動板１２ａ，１２ｂを弾くときまでに減衰する。したがって、低音部の同一の鍵１１を繰り返し押離鍵したときのノイズの発生を抑制することができる。
【００３９】
また、低音部の振動板の振動に比べて、中音部及び高音部の振動板の振動の減衰時間は短かく、同一の鍵１１を連続して繰り返し押離鍵しても演奏上問題となるノイズが発生し難い。そのため、中音部及び高音部においては、振動板１２ａが押鍵操作ごとに弾かれて発音するようにした。これにより、中音部及び高音部の構成を低音部よりも簡単にすることができ、鍵盤楽器１０を軽量化できるとともに、鍵盤楽器１０の製造コストを低減することができる。
【００４０】
また、鍵１１の押鍵操作時におけるアーム２１の第１駆動部２３による第２円板２７ｂの回転駆動、及び鍵１１の離鍵操作時におけるアーム２１の第２駆動部２４による第３円板２７ｃの回転駆動により、弾き部材としての第１及び第４円板２７ａ，２７ｄは、押鍵操作時に所定方向へ所定角度回転し、離鍵操作時に前記所定方向と同じ方向へ前記所定角度だけ回転する。したがって、第１及び第４円板２７ａ，２７ｄは、離鍵操作により、振動板１２ａ，１２ｂを弾いた弾き爪２７ａ２，２７ｄ２を振動板１２ａ，１２ｂから遠ざけるように回転するので、離鍵操作時に弾き爪２７ａ２，２７ｄ２が振動板１２ａ，１２ｂに接触しない。これにより、離鍵操作時に振動板１２ａ，１２ｂの振動を抑制して音を減衰させることが無く、ノイズを発生させることも無い。
【００４１】
また、第２円板２７ｂを第１円板２７ａと第４円板２７ｄとの間に設けた。そのため、第１被駆動爪２７ｂ２と弾き爪２７ａ２との回転軸方向の距離と、第１被駆動爪２７ｂ２と弾き爪２７ｄ２との回転軸方向の距離の差が小さくなる。したがって、弾き爪２７ａ２が振動板１２ａを下方へ押し曲げているときに回転軸２７ｅが捩れることによる、第１被駆動爪２７ｂ２と弾き爪２７ａ２の周方向のずれ量と、弾き爪２７ｄ２が振動板１２ｂを下方へ押し曲げているときに回転軸２７ｅが捩れることによる、第１被駆動爪２７ｂ２と弾き爪２７ｄ２の周方向のずれ量との差が小さくなる。すなわち、弾き爪２７ａ２が振動板１２ａを弾くときの押鍵深さと、弾き爪２７ｄ２が振動板１２ｂを弾くときの押鍵深さとの差を小さくすることができるので、本実施形態に係る鍵盤楽器が演奏し易くなる。なお、第２円板２７ｂを第１円板２７ａと第４円板２７ｄの中央に位置させれば、弾き爪２７ａ２が振動板１２ａを弾くときの押鍵深さと、弾き爪２７ｄ２が振動板１２ｂを弾くときの押鍵深さを完全一致させることができて、本実施形態に係る鍵盤楽器がより演奏し易くなる。
【００４２】
ｂ．第２実施形態
以下、本発明の第２実施形態についての全体概略を説明する。鍵盤楽器１０Ａは、鍵盤楽器１０と同様に複数の鍵１１及び複数の振動部１２を有する。しかし、この鍵盤楽器１０Ａにおいては、図１８に示すように、低音部の各振動部１２は、鍵音高に対応した同一の周波数で振動して同一音高の音をぞれぞれ発する３枚の振動板１２ａ，１２ｂ，１２ｃからなり、振動板１２ａ，１２ｂ，１２ｃのうちの１つの振動板が、この順に押鍵操作ごとに弾かれて発音する。一方、中音部及び高音部の構成は、鍵盤楽器１０と同様である。
【００４３】
次に、鍵盤楽器１０Ａの低音部の構成について説明する。図１９に示すように、鍵１１は、鍵盤楽器１０と同様に支持され、下限ストッパ１７及び上限ストッパ１８によって揺動範囲が規定される。鍵１１の後部上面には、キャプスタン１９が組み付けられていて、アーム３６の前端部の下面が当接している。アーム３６は、アーム３０とほぼ同様の構成である。すなわち、アーム３６は、図２０Ａ及び図２０Ｂに示すように、基部３７、第１駆動部３８及び第２駆動部３９から構成される。基部３７は、基部３１と同様に構成され、回転軸３１ａと同様の回転軸３７ａを有する。第１駆動部３８及び第２駆動部３９は、アーム３０の第１駆動部２３及び第２駆動部２４よりも、先端部が細長くなっている。
【００４４】
アーム３６は、図２１Ａ及び図２１Ｂに示すように、フレームＦＲに固定されたアーム支持部材２５に設けられた貫通孔２５ａに回転軸３７ａを貫通させることにより、アーム支持部材２５に回転可能に支持されている。アーム３６の後方には、回転式弾き部４１が、アーム支持部材２５に回転可能に支持されている。
【００４５】
回転式弾き部４１は、金属製で、図２２Ａ乃至図２２Ｃに示すように、第１乃至第５円板４１ａ，４１ｂ，４１ｃ，４１ｄ，４１ｅ及び回転軸４１ｆを有する。第１乃至第５円板４１ａ，４１ｂ，４１ｃ，４１ｄ，４１ｅは、高音部側から低音部側へ向かってこの順に等間隔に配置されるように、それぞれの内周端が回転軸４１ｆに固定されている。回転式弾き部４１は、アーム支持部材２５に設けられた貫通孔２５ｂに回転軸４１ｆを回転可能に貫通させることにより、アーム支持部材２５に回転可能に支持されている。なお、図２２Ａは回転式弾き部４１の正面図である。また、図２２Ｂは回転式弾き部４１の右側面図であり、図２２Ｃは回転式弾き部４１の左側面図である。各円板の構成を明瞭に示すために、図２２Ｂにおいては第４円板４１ｄを省略し、図２２Ｃにおいては第２円板４１ｂを省略している。
【００４６】
第１円板４１ａは、第１円板２７ａと同様に、円板状の本体４１ａ１及び２つの弾き爪４１ａ２，４１ａ２から構成される。弾き爪４１ａ２，４１ａ２は、突起状であり、本体４１ａ１の外周に周方向に１８０度ずらして等間隔に設けられている。また、第３円板４１ｃ及び第５円板４１ｅの構成は、第１円板４１ａと同一である。すなわち、第３円板４１ｃは、円板状の本体４１ｃ１及び２つの弾き爪４１ｃ２，４１ｃ２から構成され、第５円板４１ｅは、円板状の本体４１ｅ１及び２つの弾き爪４１ｅ２，４１ｅ２から構成される。第１円板４１ａ、第３円板４１ｃ及び第５円板４１ｅは、弾き爪４１ａ２，４１ｃ２，４１ｅ２の位置が周方向に互いに６０度ずつずれた状態で回転軸４１ｆに固定されている。弾き爪４１ａ２，４１ｃ２，４１ｅ２は、回転式弾き部４１の回転により、それぞれ振動板１２ａ，１２ｂ，１２ｃを弾く。弾き爪４１ａ２，４１ｃ２，４１ｅ２の振動板１２ａ，１２ｂ，１２ｃと当接する面は円弧状の曲面となっている。これらの第１、第３及び第５円板４１ａ，４１ｃ，４１ｅが本発明の弾き部材を構成する。
【００４７】
第２円板４１ｂは、円板状の本体４１ｂ１及び６つの第１被駆動爪４１ｂ２から構成される。第１被駆動爪４１ｂ２は本体４１ｂ１の外周に周方向に６０度ずつずらして等間隔に設けられている。第１被駆動爪４１ｂ２は、突起状で、アーム３６の第１駆動部３８の先端面と当接する平面部と、第１駆動部３８の屈曲部と当接する円弧状の曲面部とを有する。また、第４円板４１ｄも、第２円板４１ｂと同様に、円板状の本体４１ｄ１及び６つの第２被駆動爪４１ｄ２から構成される。第２被駆動爪４１ｄ２も、突起状で、アーム３６の第２駆動部３９の先端面と当接する平面部と、第２駆動部３９の屈曲部と当接する円弧状の曲面部とを有する。ただし、第４円板４１ｄ及び第２円板４１ｂは、各被駆動爪４１ｂ２，４１ｄ２の周方向の位置が３０度ずれた状態で回転軸４１ｆに固定されている。また、第１円板４１ａの弾き爪４１ａ２と、第３円板４１ｃの弾き爪４１ｃ２と、第５円板４１ｅの弾き爪４１ｅ２とを合計した弾き爪４１ａ２，４１ｃ２，４１ｅ２の総数は、第２円板４１ｂの第１被駆動爪４１ｂ２の総数に等しいとともに、第４円板４１ｄの第２被駆動爪４１ｄ２の総数にそれぞれ等しい。そして、第１円板４１ａ、第３円板４１ｃ及び第５円板４１ｅと、第２円板４１ｂとは、弾き爪４１ａ２，４１ｃ２，４１ｅ２と第１被駆動爪４１ｂ２の周方向の位置が３０度ずれた状態で回転軸４１ｆに固定されている。第１円板４１ａ、第３円板４１ｃ及び第５円板４１ｅと、第４円板４１ｄとは、弾き爪４１ａ２，４１ｃ２，４１ｅ２と第２被駆動爪４１ｄ２の周方向の位置が一致した状態で回転軸４１ｆに固定されている。回転式弾き部４１の後方には、振動板１２ａ，１２ｂ，１２ｃが鍵盤楽器１０と同様に設けられている。
【００４８】
次に、上記のように構成した鍵盤楽器１０Ａの低音部の鍵１１を押離鍵操作したときの動作について説明する。図２３Ａ乃至図２６Ａは、回転式弾き部４１の周辺を拡大して高音部側から見た図であり、図２３Ｂ乃至図２６Ｂは、回転式弾き部４１の周辺を拡大して、低音部側から見た図である。また、第１駆動部３８と第１被駆動爪４１ｂ２の位置関係、及び第２駆動部３９と第２被駆動爪４１ｄ２の位置関係を明瞭に示すため、図２３Ａ乃至図２６Ａにおいては、第４円板４１ｄを省略し、図２３Ｂ乃至図２６Ｂにおいては、第２円板４１ｂを省略している。
【００４９】
離鍵時には、ばね１６によって、鍵１１の前部が上方へ付勢されて、図１９において時計回りに回転し、鍵１１の後部下面が上限ストッパ１８に当接して、図１９の状態となっている。このとき、アーム３６の第１駆動部３８は、図２３Ａに示すように、回転式弾き部４１の第１被駆動爪４１ｂ２から離れている。一方、図２３Ｂに示すように、アーム３６の第２駆動部３９の先端面は、回転式弾き部４１の第２被駆動爪４１ｄ２の平面部に当接している。さらに、第２駆動部３９と第２被駆動爪４１ｄ２の円弧状の曲面同士が当接している。従って、この状態では、回転式弾き部４１は第２駆動部３９によって固定された状態になり、回転不可能となっている。
【００５０】
一方、ばね１６の付勢力に対抗して鍵１１を押すと、鍵１１は回転中心１４を中心として、図１９にて反時計回りに回転し始める。すると、鍵１１の後部が上方に変位し、キャプスタン１９に当接しているアーム３６の前部を上方へ変位させる。これにより、アーム３６は回転軸３７ａ回りに、図１９にて時計回りに回転する。さらに深く押鍵されると、図２４Ａに示すように、第１駆動部３８の先端面が第１被駆動爪４１ｂ２の平面部に当接して、回転式弾き部４１を図２４Ａにて時計回りに回転させようとする。このとき、図２４Ｂに示すように第２被駆動爪４１ｄ２は、第２駆動部３９から解放されているので、回転式弾き部４１は回転可能となっている。したがって、回転式弾き部４１が回転し、弾き爪４１ａ２，４１ｃ２，４１ｅ２がそれぞれ振動板１２ａ，１２ｂ，１２ｃに近づいていく。そして、弾き爪４１ａ２が振動板１２ａの自由端に当接して、振動板１２ａの自由端側を下方へ押し曲げる。このとき、弾き爪４１ｃ２は、弾き爪４１ａ２に対して周方向に３０度ずれており、弾き爪４１ｅ２は、弾き爪４１ａ２に対して周方向に６０度ずれているので、弾き爪４１ｃ２，４１ｅ２は、振動板１２ｂ，１２ｃから離れている。
【００５１】
回転式弾き部４１がさらに回転すると、図２５Ａ及び図２５Ｂに示すように、弾き爪４１ａ２は振動板１２ａを乗り越える。すなわち、弾き爪４１ａ２が振動板１２ａを弾く。そして、振動板１２ａが振動し、その振動が共鳴体２８により増幅され、鍵音高に対応する楽器音が発音される。そして、鍵１１の前部下面が下限ストッパ１７に当接すると、鍵１１の揺動は停止し、回転式弾き部４１の回転も停止する。この状態では、図２５Ｂに示すように、アーム３６の第２駆動部３９は、回転式弾き部４１の第２被駆動爪４１ｄ２から離れている。一方、図２５Ａに示すように、アーム３６の第１駆動部３８及び回転式弾き部４１の第１被駆動爪４１ｂ２の円弧状の曲面同士が当接するので、回転式弾き部４１は回転不可能になっている。
【００５２】
離鍵時には、ばね１６の付勢力によって鍵１１の前部が上方へ押し上げられる。これにより、鍵１１は回転中心１４を中心として、図１９において時計回りに回転し始める。鍵１１の後端部は下方へ変位し、アーム３６は自重により回転軸３７ａ回りに、図１９にて反時計回りに回転する。すると、図２６Ｂに示すように、第２駆動部３９の先端面が第２被駆動爪４１ｄ２に当接して、回転式弾き部２７を押鍵時と同じ方向（図２６Ａにて時計回り、すなわち図２６Ｂにおいて反時計回り）へ回転させようとする。このとき、図２６Ａに示すように、第１被駆動爪４１ｂ２は第１駆動部３８から解放されているので、回転式弾き部４１は回転可能となっている。したがって、回転式弾き部４１の回転により、振動板１２ａを弾いた弾き爪４１ａ２が、振動板１２ａから遠ざかる。鍵１１の後部下面が上限ストッパ１８に当接すると、鍵１１の前部の上方への変位が規制され、鍵１１は元の位置（図１９）へ復帰する。
【００５３】
回転式弾き部４１は、上記１回の押離鍵操作において、６０度回転している。そして、次の押離鍵操作（２回目の押離鍵操作）においても、上記と同様に、第１駆動部３８及び第２駆動部３９がそれぞれ第１被駆動爪４１ｂ２及び第２被駆動爪４１ｄ２に係合して、回転式弾き部４１が６０度回転する。ただし、この２回目の押離鍵操作においては、弾き爪４１ａ２及び弾き爪４１ｅ２は振動板１２ａ，１２ｃを弾かず、弾き爪４１ｃ２が振動板１２ｂを弾いて発音する。さらに次の押離鍵操作（３回目の押離鍵操作）においても、上記と同様に、回転式弾き部４１が６０度回転する。この３回目の押離鍵操作においては、弾き爪４１ａ２及び弾き爪４１ｃ２は振動板１２ａ，１２ｂを弾かず、弾き爪４１ｅ２が振動板１２ｃを弾いて発音する。そして、３回目の離鍵操作の後、回転式弾き部４１が元の状態（図１９）へ復帰する。
【００５４】
上記のように構成すれば第１実施形態に係る鍵盤楽器１０と同様の効果に加えて、次のような効果が得られる。上記のように、鍵盤楽器１０の低音部については、押離鍵操作ごとに振動板１２ａ，１２ｂが交互に弾かれる。一方、鍵盤楽器１０Ａの低音部においては、振動板１２ａ，１２ｂ，１２ｃのうちの１つの振動板が、この順に押鍵操作ごとに弾かれる。したがって、鍵盤楽器１０，１０Ａの低音部の鍵１１を繰り返し押鍵するときの繰返し速度を同一としたとき、ある振動板が弾かれてから、再びその振動板が弾かれるまでの時間は鍵盤楽器１０よりも鍵盤楽器１０Ａの方が長い。すなわち、鍵盤楽器１０Ａにおいては、ある振動板が弾かれてから、再びその振動板が弾かれるまでに、その振動が十分に減衰する。したがって、鍵盤楽器１０Ａにおいては、より効果的にノイズの発生を抑制することができる。言い換えれば、同一の鍵１１を繰り返し押鍵するときの繰返し速度については、鍵盤楽器１０よりも鍵盤楽器１０Ａの方がより速い繰返し速度に対応できる。
【００５５】
さらに、本発明の実施にあたっては、上記第１及び第２実施形態に限定されるものではなく、本発明の目的を逸脱しない限りにおいて種々の変更が可能である。
【００５６】
上記第１実施形態においては、低音部の１つの鍵１１に対応した２つの振動板１２ａ．１２ｂに対して弾き部材としての第１円板２７ａ及び第４円板２７ｄをそれぞれ設けた。また、上記第２実施形態においては、低音部の１つの鍵１１に対応した振動板１２ａ．１２ｂ、１２ｃに対して弾き部材としての第１円板４１ａ、第３円板４１ｃ及び第４円板４１ｅを設けた。しかし、これに代えて、１つの鍵１１に対応した２つの振動板１２ａ．１２ｂ又は３つの振動板１２ａ．１２ｂ，１２ｃを弾くために、弾き部材として１つの円板だけを設けて、鍵１１の離鍵があるごとに、前記１つの円板の位置をずらして、押鍵ごとに異なる振動板を順次弾くようにしてもよい。
【００５７】
上記第１実施形態においては、低音部における弾き部材としての第１円板２７ａ及び第４円板２７ｄに、それぞれ２つずつの弾き爪２７ａ２，２７ｄ２を設けるとともに、中音部及び高音部における弾き部材としての第２円板３２ｂに４つの弾き爪３２ｂ２を設けた。また、上記第２実施形態においては、低音部における弾き部材としての第１円板４１ａ、第３円板４１ｃ及び第５円板４１ｅに、それぞれ２つずつの弾き爪４１ａ２，４１ｃ２，４１ｅ２を設けるようにした。しかし、これらに代えて、前記各円板２７ａ，２７ｄ，３２ｂ，４１ａ，４１ｃ，４１ｅにそれぞれ、１つだけ弾き爪を設けたり、３つ以上の弾き爪を設けるようにしてもよい。この場合、第１及び第４円板２７ａ，２７ｄに設けられる複数の弾き爪間の角度をそれぞれ均等にする。そして、第２及び第３円板２７ｃ，２７ｄとアーム２１とによる、１押鍵ごとの第１及び第４円板２７ａ，２７ｄの回転角が前記複数の弾き爪間の角度となるようにする。また、第２円板３２ｂに設けられる弾き爪に関しても、複数であれば、それらの間の角度をそれぞれ均等にする。そして、第１及び第３円板３２ａ，３２ｃとアーム３０とによる、１押鍵ごとの第２円板３２ｂの回転角が前記複数の弾き爪間の角度となるようにする。また、第１、第３及び第５円板４１ａ，４１ｃ，４１ｅに設けられる複数の弾き爪間の角度をそれぞれ均等にする。そして、第２及び第４円板４１ｂ，４２ｄとアーム３６とによる、１押鍵ごとの第１、第３及び第５円板４１ａ，４１ｃ，４１ｅの回転角を前記複数の弾き爪間の角度となるようにする。
【００５８】
上記第１実施形態においては、低音部の１つの鍵１１に対して２つの振動板１２ａ，１２ｂを設けた。また、上記第２実施形態においては、低音部の１つの鍵１１に対して３つの振動板１２ａ，１２ｂ、１２ｃを設けた。しかし、これらに代えて、１つの鍵１１に対してさらに多くの振動板を設けるようにしてもよい。また、中音部及び高音部においても、振動板１２ａの振動の減衰時間によりノイズの発生が問題となる場合には、中音部及び高音部においても複数の振動板を設けるようにしてもよい。さらに、高音部、中音部及び低音部の順に振動板の減衰時間が順次長くなるので、中音部における振動板の数を高音部に比べて多く、低音部における振動板の数を中音部に比べてさらに多くというように、音域に応じて振動板の数を順に変更するようにしてもよい。
【符号の説明】
【００５９】
１０，１０Ａ…鍵盤楽器、１１…鍵、１２ａ，１２ｂ，１２ｃ…振動板、２１，３６…アーム、２３，３８…第１駆動部、２４，３９…第２駆動部、２７，４１…回転式弾き部、２７ａ，４１ａ…第１円板、２７ａ２，２７ｄ２，４１ａ２，４１ｃ２，４１ｅ２…弾き爪、２７ｂ，４１ｂ…第２円板、２７ｂ２，４１ｂ２…第１被駆動爪、２７ｃ，４１ｃ……第３円板、２７ｃ２，４１ｄ２…第２被駆動爪、２７ｄ，４１ｄ…第４円板、２８…共鳴体、４１ｅ…第５円板、ＦＲ…フレーム
【図１】
2011075755.tif 000003
【図２Ａ】
2011075755.tif 000004
【図２Ｂ】
2011075755.tif 000005
【図３】
2011075755.tif 000006
【図４】
2011075755.tif 000007
【図５】
2011075755.tif 000008
【図６Ａ】
2011075755.tif 000009
【図６Ｂ】
2011075755.tif 000010
【図７Ａ】
2011075755.tif 000011
【図７Ｂ】
2011075755.tif 000012
【図７Ｃ】
2011075755.tif 000013
【図８Ａ】
2011075755.tif 000014
【図８Ｂ】
2011075755.tif 000015
【図９】
2011075755.tif 000016
【図１０】
2011075755.tif 000017
【図１１Ａ】
2011075755.tif 000018
【図１１Ｂ】
2011075755.tif 000019
【図１２Ａ】
2011075755.tif 000020
【図１２Ｂ】
2011075755.tif 000021
【図１２Ｃ】
2011075755.tif 000022
【図１３Ａ】
2011075755.tif 000023
【図１３Ｂ】
2011075755.tif 000024
【図１４Ａ】
2011075755.tif 000025
【図１４Ｂ】
2011075755.tif 000026
【図１５Ａ】
2011075755.tif 000027
【図１５Ｂ】
2011075755.tif 000028
【図１６Ａ】
2011075755.tif 000029
【図１６Ｂ】
2011075755.tif 000030
【図１７Ａ】
2011075755.tif 000031
【図１７Ｂ】
2011075755.tif 000032
【図１８】
2011075755.tif 000033
【図１９】
2011075755.tif 000034
【図２０Ａ】
2011075755.tif 000035
【図２０Ｂ】
2011075755.tif 000036
【図２１Ａ】
2011075755.tif 000037
【図２１Ｂ】
2011075755.tif 000038
【図２２Ａ】
2011075755.tif 000039
【図２２Ｂ】
2011075755.tif 000040
【図２２Ｃ】
2011075755.tif 000041
【図２３Ａ】
2011075755.tif 000042
【図２３Ｂ】
2011075755.tif 000043
【図２４Ａ】
2011075755.tif 000044
【図２４Ｂ】
2011075755.tif 000045
【図２５Ａ】
2011075755.tif 000046
【図２５Ｂ】
2011075755.tif 000047
【図２６Ａ】
2011075755.tif 000048
【図２６Ｂ】
2011075755.tif 000049